(57)【要約】【課題】防水性に優れ、かつ取付部材を用いることなくドア板に短時間で容易に取り付けることが可能なドアパッキン及びこのドアパッキンを有するドア構造を提供する。【解決手段】ドアパッキン１は、水平断面が略コ字形状の基部３と、水平断面直線形状の張出片２とからなっている。基部３は、中央片４と、該中央片４の両辺縁から垂直に延出した第１側片５及び第２側片６とからなっている。この中央片４の外面に、長手方向にわたって張出片２が延設されている。ドアパッキン１の基部３を、ドア板１０の縦側縁に係合させる。第１側片５と第２側片６の凹条７より先端側同士の間隔はドア板１０の厚さに等しいか又は若干小さいため、これら第１側片５と第２側片６の凹条７より先端側がそれぞれドア板１０のドア板面１０ｂ，１０ｃに重なる。ドア板１０の木口面１０ａが中央片４の凸条４ａに当接する。ドア板１０の閉鎖時に、双方のドアパッキン１の張出片２同士が当接する。【選択図】図２
2006132147.tif 000002
【特許請求の範囲】
【請求項１】
ドア板の縦側縁に係合して該ドア板に取り付けられる基部と、
該基部からドア板木口面から離れる方向に張り出した軟質材よりなる張出片と
を備えてなるドアパッキンにおいて、
該基部は、ドア板の木口面に対面する中央片と、該中央片の一辺縁から延出し、ドア板の一方のドア板面に重なる第１側片と、該中央片の他辺縁から延出し、ドア板の他方のドア板面に重なる第２側片とを有することを特徴とするドアパッキン。
【請求項２】
請求項１において、該ドアパッキンは透明ないし半透明の合成樹脂よりなることを特徴とするドアパッキン。
【請求項３】
請求項１又は２において、該張出片は軟質合成樹脂よりなり、該張出片と前記基部とが一体に成形されていることを特徴とするドアパッキン。
【請求項４】
請求項１ないし３のいずれか１項において、該張出片は、前記基部のドア板厚み方向の中央よりも一方の側辺に片寄った位置から張り出しており、
該張出片の張り出し方向の先端側は、他方の側辺側へ曲成されていることを特徴とするドアパッキン。
【請求項５】
回動式のドア板と、該ドア板の閉鎖時に該ドア板の回動側の縦側縁と対峙する縦側縁を有した板状の相手方板材と、
該ドア板及び相手方板材の縦側縁にそれぞれ取り付けられたドアパッキンとを有するドア構造において、
該ドアパッキンは請求項１ないし４のいずれか１項に記載のドアパッキンであり、
ドア板の閉鎖時に双方のドアパッキンの張出片同士が当接することを特徴とするドア構造。
【請求項６】
請求項５において、該ドアパッキンは請求項４に記載のドアパッキンであり、ドア板の閉鎖時に、ドアパッキンの張出片の先端が相手方のドアパッキンの張出片の張り出し方向の途中に当接し、
各ドアパッキンの張出片の曲成された部分同士の間にスペースが生じる
ことを特徴とするドア構造。
【請求項７】
請求項４ないし６のいずれか１項において、該ドア板は透明又は半透明のガラス板であり、該ドアパネルは請求項２に記載のドアパネルであることを特徴とするドア構造。
【発明の詳細な説明】
【技術分野】
【０００１】
本発明は、ドア板に取り付けられるドアパッキン及びドア板と相手方板材にドアパッキンが取り付けられたドア構造に関する。
【背景技術】
【０００２】
従来、回動扉の防水性を確保するために、ドア板の側縁にドアパッキンを取り付けることが行われている。
【０００３】
例えば、実公昭３７−３１８８０号公報には、上下方向に突設された３条の延出部を備えた弾性体を、隣り合う回動扉の対向する木口面に取り付けたドア構造が開示されている。これら隣り合う回動扉の延出部同士が重なり合うことにより、扉同士の間の防水性が確保される。
【特許文献１】実公昭３７−３１８８０号公報
【発明の開示】
【発明が解決しようとする課題】
【０００４】
実公昭３７−３１８８０号公報の弾性体は、取付部材を介して扉の木口面に取り付けられているため、部品点数が多い。
【０００５】
本発明は上記問題点を解決し、防水性に優れ、かつ取付部材を用いることなくドア板に短時間で容易に取り付けることが可能なドアパッキン及びこのドアパッキンを有するドア構造を提供することを目的とする。
【課題を解決するための手段】
【０００６】
本発明（請求項１）のドアパッキンは、ドア板の縦側縁に係合して該ドア板に取り付けられる基部と、該基部からドア板木口面から離れる方向に張り出した軟質材よりなる張出片とを備えてなるドアパッキンにおいて、該基部は、ドア板の木口面に対面する中央片と、該中央片の一辺縁から延出し、ドア板の一方のドア板面に重なる第１側片と、該中央片の他辺縁から延出し、ドア板の他方のドア板面に重なる第２側片とを有することを特徴とするものである。
【０００７】
請求項２のドアパッキンは、請求項１において、該ドアパッキンは透明ないし半透明の合成樹脂よりなることを特徴とするものである。
【０００８】
請求項３のドアパッキンは、請求項１又は２において、該張出片は軟質合成樹脂よりなり、該張出片と前記基部とが一体に成形されていることを特徴とするものである。
【０００９】
請求項４のドアパッキンは、請求項１ないし３のいずれか１項において、該張出片は、前記基部のドア板厚み方向の中央よりも一方の側辺に片寄った位置から張り出しており、
該張出片の張り出し方向の先端側は、他方の側辺側へ曲成されていることを特徴とするものである。
【００１０】
本発明（請求項５）のドア構造は、回動式のドア板と、該ドア板の閉鎖時に該ドア板の回動側の縦側縁と対峙する縦側縁を有した板状の相手方板材と、該ドア板及び相手方板材の縦側縁にそれぞれ取り付けられたドアパッキンとを有するドア構造において、該ドアパッキンは請求項１ないし４のいずれか１項に記載のドアパッキンであり、ドア板の閉鎖時に双方のドアパッキンの張出片同士が当接することを特徴とするものである。
【００１１】
請求項６のドア構造は、請求項５において、該ドアパッキンは請求項４に記載のドアパッキンであり、ドア板の閉鎖時に、ドアパッキンの張出片の先端が相手方のドアパッキンの張出片の張り出し方向の途中に当接し、各ドアパッキンの張出片の曲成された部分同士の間にスペースが生じることを特徴とするものである。
【００１２】
請求項７のドア構造は、請求項４ないし６のいずれか１項において、該ドア板は透明又は半透明のガラス板であり、該ドアパネルは請求項２に記載のドアパネルであることを特徴とするものである。
【発明の効果】
【００１３】
本発明（請求項１）のドアパッキン及びこのドアパッキンをドア板及び相手方板材の縦側縁にそれぞれ取り付けてなるドア構造（請求項５）にあっては、ドア板の縦側縁に係合して該ドア板に取り付けられる基部と、該基部からドア板木口面から離れる方向に張り出した張出片とを備えてなるため、他の取付部材を用いることなくドアパッキンをドア板に取り付けることができる。
【００１４】
また、この基部は、ドア板の木口面に対面する中央片と、該中央片の一辺縁から延出し、ドア板の一方のドア板面に重なる第１側片と、該中央片の他辺縁から延出し、ドア板の他方のドア板面に重なる第２側片とを有するため、ドア板の木口面、一方のドア板面及び他方のドア板面にそれぞれ中央片、第１側片及び第２側片を重ねることにより、ドアパッキンのドア板への位置決めを容易に行うことができ、施工時間の短縮が図られる。
【００１５】
また、ドア板の閉鎖時に、ドア板及び相手方板材の双方のドアパッキンの張出片同士が当接するため、ドア板と相手方板材との間の防水性に優れたものとなる。
【００１６】
請求項２のドアパッキンにあっては、ドアパッキンは透明ないし半透明の合成樹脂よりなるため、ドアパッキンが目立つことなく、意匠性に優れる。特に、ドア板が透明又は半透明なガラス板である場合（請求項７）、隣接するドア板同士又はドア板と相手方板材との境界が目立つことがなく、一体感を有するため、意匠性に優れる。
【００１７】
なお、例えばこのドアパッキンを脱衣所と浴室とを区画するドア板に取り付けた場合、水滴が脱衣所内に落下するのを防止するために、通常、このドア板は浴室側に回動するように取り付けられる。このため、ドア板を開くときに相手方板材の張出片がドア板の張出片を妨害しないように、ドアパッキンは、ドア板の閉止時にドア板側の張出片が相手方板材の張出片よりも浴室側に位置するようにして取り付けられている。しかしながら、浴室内のドア板付近で人体が倒れた場合、ドアを浴室側に回動させることができなくなり、ドアを脱衣所側に回動させる必要が生じる。このとき、相手方板材の張出片がドア板の張出片を妨害し、ドアの回動を阻害することになる。
【００１８】
請求項３のドアパッキンにあっては、張出片は軟質合成樹脂よりなることから、張出片がドアの脱衣所側への回動を妨害することがない。また、一体成形されていることより、生産性が高い。
【００１９】
請求項４のドアパッキン及びこのドアパッキンを用いてなる請求項６のドア構造にあっては、各ドアパッキンの張出片の曲成された部分同士の間にスペースが生じるため、このスペースを通って水が流下することができる。このため、張出片同士の当接面に水が残留してカビが生じることが防止される。
【発明を実施するための最良の形態】
【００２０】
以下、図面を参照して本発明の実施の形態について説明する。
【００２１】
図１は本発明の実施の形態に係るドアパッキンをドア板に取り付ける前の状態を示す斜視図、図２は図１のドアパッキンをドア板及び相手方板材の縦側縁にそれぞれ取り付けてなるドア構造の水平断面図である。
【００２２】
ドアパッキン１は、水平断面が略コ字形状の基部３と、水平断面直線形状の張出片２とからなっている。
【００２３】
基部３は、中央片４と、該中央片４の両辺縁から垂直に延出した第１側片５及び第２側片６とからなっている。
【００２４】
この中央片４の外面に、長手方向にわたって張出片２が延設されている。この張出片２は、中央片４の中央から張出片２の厚さの半分程度片寄った位置に設けられている。中央片４の内面の中央に、長手方向にわたって凸条４ａが延設されている。
【００２５】
第１側片５及び第２側片６の内面（互いに対向する面）に、それぞれ１条の凹条７が長手方向にわたって凹設されている。これら凹条７の中央片４と反対側の側壁から、水返し８が突設されている。
【００２６】
本実施の形態では、ドアパッキン１は透明ないし半透明の合成樹脂よりなる。ドアパッキン１の基部３は硬質合成樹脂よりなり、張出片２は軟質合成樹脂よりなり、これら基部３及び張出片２は２色成形等により一体成形されている。
【００２７】
このように構成されたドアパッキン１を、ドア板１０の縦側縁に係合する際には、図１の矢印の如く、第１側片５と第２側片６の間にドア板１０を挿入していく。ここで、第１側片５と第２側片６の凹条７より先端側同士の間隔はドア板１０の厚さと等しいか又は若干小さいため、これら第１側片５と第２側片６の凹条７より先端側の内面がそれぞれドア板１０のドア板面１０ｂ，１０ｃに重なる。
【００２８】
ドア板１０をさらに挿入すると、水返し８，８がドア板面１０ｂ，１０ｃに押されて弾性変形し、凹条７，７内に収納される。ドア板１０をさらに挿入してドア板１０の木口面１０ａを中央片４の凸条４ａに当接させることにより、ドアパッキン１のドア板への取り付けが終了する。
【００２９】
なお、図２の通り、相手方板材２０の縦側縁にも、同様にドアパッキン１が取り付けられる。
【００３０】
これらドア板１０及び相手方板材２０は浴室の出入口に設置される。ドア板１０を開いたときにドア板１０に付いた水滴が浴室の外側に落下しないように、ドア板１０は浴室側（図２における反時計方向）に回動可能に設置される。相手方板材２０は回動不能に固定して設置される。
【００３１】
図２の通り、ドア板１０に取り付けられたドアパッキン１は、張出片２が中央片４の中央より張出片２の厚さの半分だけ図２の下側に片寄った位置に配置されており、相手方板材２０に取り付けられたドアパッキン１は、張出片２が中央片４の中央より張出片２の厚さの半分だけ図２の上側に片寄った位置に配置されている。従って、ドア板１０の閉鎖時に、双方のドアパッキン１の張出片２同士が当接する。
【００３２】
本実施の形態に係るドアパッキン１及びドア構造にあっては、ドア板１０の縦側縁に係合して該ドア板１０に取り付けられる基部３と、該基部３からドア板木口面１０ａから離れる方向に張り出した張出片２とを備えてなるため、他の取付部材を用いることなくドアパッキン１をドア板１０に取り付けることができる。
【００３３】
また、この基部３は、ドア板１０の木口面１０ａに対面する中央片４と、該中央片４の一辺縁から延出し、ドア板１０の一方のドア板面１０ｂに重なる第１側片５と、該中央片４の他辺縁から延出し、ドア板１０の他方のドア板面１０ｃに重なる第２側片６とを有するため、ドア板１０の木口面１０ａ、一方のドア板面１０ｂ及び他方のドア板面１０ｃにそれぞれ中央片４、第１側片５及び第２側片６を重ねることにより、ドアパッキン１のドア板１０への位置決めを容易に行うことができ、施工時間の短縮が図られる。
【００３４】
また、ドア板１０の閉鎖時に、ドア板１０及び相手方板材２０の双方のドアパッキン１の張出片２同士が当接するため、ドア板１０と相手方板材２０との間の防水性に優れたものとなる。
【００３５】
本実施の形態のドアパッキン１にあっては、張出片２は軟質合成樹脂よりなるため、この張出片２は容易に変形する。従って、浴室内のドア板１０付近に人体が倒れ、ドア板１０を浴室側に回動させることができなくなり、ドア板１０を浴室の外側（図２における時計回り方向）に回動させる必要が生じたときに、張出片２がドア板１０の回動を妨害することがない。
【００３６】
なお、基部３は硬質合成樹脂よりなるため、基部３はドア板１０又は相手方板材２０に強固に係合し、ドアパッキン１はドア板１０又は相手方板材２０から外れ難い。また、基部３と張出片２とは一体成形されているため、生産性が高い。
【００３７】
本実施の形態のドアパッキン１にあっては、ドアパッキン１は透明ないし半透明の合成樹脂よりなるため、ドアパッキンが目立つことなく、意匠性に優れる。特に、ドア板１０及び相手方板材２０が透明又は半透明なガラス板である場合、隣接するドア板１０と相手方板材２０との境界が目立つことがなく、一体感を有するため、意匠性に優れる。
【００３８】
上記実施の形態にあっては、水返し８が存在するため、水がドア板１０又は相手方板材２０と第１側片５又は第２側片６との間を通って基部３内に浸入することが防止されると共に、ドアパッキン１がドア板１０又は相手方板材２０から外れることが防止される。
【００３９】
図３は、別の実施の形態に係るドアパッキン１Ａをドア板及び相手方板材の縦側縁にそれぞれ取り付けてなるドア構造の水平断面図である。
【００４０】
ドアパッキン１Ａの中央片４の外面に、長手方向にわたって張出片２Ａが延設されている。この張出片２Ａは、中央片４の中央よりも第１側片５側に片寄った位置から垂直に張り出しており、該張出片２Ａの張り出し方向の先端側は、第２側片５側へ曲成されている。
【００４１】
図３の通り、ドア板１０の閉鎖時に、ドア板１０の張出片２Ａの先端が相手方板材２０の張出片２Ａの張り出し方向の途中に当接し、各ドアパッキン１Ａの張出片２Ａの曲成された部分同士の間にスペース３０が生じるように構成されている。このドアパッキン１Ａ及びドア構造のその他の構成は図１，図２のドアパッキン１及びドア構造の構成と同様であり、同一符号は同一部分を示している。
【００４２】
本実施の形態のドアパッキン１Ａ及びドア構造にあっては、各ドアパッキン１Ａの張出片２Ａの曲成された部分同士の間にスペース３０が生じるため、このスペース３０内に水を流下させることができる。このため、張出片２Ａ同士の当接面に水が残留してカビが生じることが防止される。
【００４３】
上記実施の形態は本発明の一例であり、本発明は上記実施の形態に限定されるものではない。例えば、張出片は水平断面がＬ字形状や波形状であってもよい。上記実施の形態ではドアパッキンは透明又は半透明であったが、ドア板や相手方板材の色彩に合わせて任意の色としてもよい。
【図面の簡単な説明】
【００４４】
【図１】本発明の実施の形態に係るドアパッキンをドア板に取り付ける前の状態を示す斜視図である。
【図２】図１のドアパッキンをドア板及び相手方板材の縦側縁にそれぞれ取り付けてなるドア構造の水平断面図である。
【図３】別の実施の形態に係るドアパッキンをドア板及び相手方板材の縦側縁にそれぞれ取り付けてなるドア構造の水平断面図である。
【符号の説明】
【００４５】
１，１Ａ  ドアパッキン
２，２Ａ  張出片
３  基部
４  中央片
５  第１側片
６  第２側片
７  凹条
８  水返し
１０  ドア板
２０  相手方板材
３０  スペース
【図１】
2006132147.tif 000003
【図２】
2006132147.tif 000004
【図３】
2006132147.tif 000005